(57)【要約】【課題】ワイヤレスリモコン装置において、リモコン取付具とワイヤレスリモコンの着脱を容易にすることができ、またより小形化したリモコン取付具を提供すること。【解決手段】ワイヤレスリモコン装置２０において、リモコン取付具１は、ワイヤレスリモコン１０の上部側面を支持するために前記リモコン取付具１の両側端から前方へ左右一対の延設された支持腕２を有し、前記支持腕２の略先端部内面側に左右一対の突起部３が配設されている。また、ワイヤレスリモコン１０の上端部側面には凹部が左右一対配設されている。【選択図】            図４
2004297258.tif 000002
【特許請求の範囲】
【請求項１】
壁面や柱に固定されるリモコン取付具と、前記リモコン取付具に着脱自在に取り付けられ空気調和機などの電気機器を遠隔操作するワイヤレスリモコンとから構成されるワイヤレスリモコン装置において、
前記リモコン取付具には、前記ワイヤレスリモコンを着脱自在に支える支持腕を設けると共に、前記支持腕には前記ワイヤレスリモコン装着時の落下防止部を形成したことを特徴とするワイヤレスリモコン装置。
【請求項２】
請求項１に記載の発明において、前記支持腕は、前記リモコン取付具の左右から前方に延設され、先端部内面側には、前記ワイヤレスリモコンを支持するための凸部、または凹部が配設され、前記ワイヤレスリモコンには、前記リモコン取付具にて支持可能なようにワイヤレスリモコン左右側面に凹部、または凸部が配設され、前記リモコン取付具と係止されることを特徴とするワイヤレスリモコン装置。
【請求項３】
請求項２項に記載の発明において、前記支持腕に設けられた前記凸部、または前記凹部は少なくとも先端が略球面状であり、前記ワイヤレスリモコンには、前記リモコン取付具にて支持可能なようにワイヤレスリモコン左右側面に凹部、または凸部が配設され、前記凹部、または前記凸部は少なくとも先端が略球面状であり、前記リモコン取付具と枢止されることを特徴とするワイヤレスリモコン装置。
【請求項４】
請求項１から３のいずれか１項に記載の発明において、前記取付具は、前記取付具の略中央部分に設けられたビス孔を介して１本のビスにて壁面や柱に固定できることを特徴とするワイヤレスリモコン装置。
【請求項５】
請求項１から４のいずれか１項に記載の発明において、前記取付具は、前記取付具の中央部分と前記支持腕の正面から見た高さ寸法が略同一寸法であることを特徴とするワイヤレスリモコン装置。
【発明の詳細な説明】
【０００１】
【発明の属する技術分野】
本発明は、例えば空気調和機等を遠隔操作するためのワイヤレスリモコン装置に関する。
【０００２】
【従来の技術】
従来、空気調和機等のワイヤレスリモコン装置として例えば図５、図６に示すようなものが知られている。（例えば、特許文献１参照）。
【０００３】
図５、図６に示すように、ワイヤレスリモコンＷの背面を支持するための取付具５０と、取付具５０の下端部から前方に延設されてワイヤレスリモコンＷの下部を支持するための受け部５２と、取付具５０の上部左右から前方に延設されてワイヤレスリモコンＷの両側の一部を挟持する弾性変形可能な左右一対の支持腕５１とを有し、取付具５０が壁面５３にビス５４で固定されている。上記構成によれば、ワイヤレスリモコンＷの底部を受け部５２に載せてワイヤレスリモコンＷを壁面等に向けて押し付けるだけで支持でき、取付具５０に支持されたワイヤレスリモコンＷの上端部を手前に引けば支持腕５１の弾性により簡単にワイヤレスリモコンＷを外すことができる。
【０００４】
【特許文献１】
実公平４−５１２９９号公報
【０００５】
【発明が解決しようとする課題】
しかし、上記した従来の構成では、取付具５０と取付具５０下端部から前方に延設された受け部５２及び取付具５０の上部左右から前方に延設された左右一対の支持腕５１とでワイヤレスリモコンＷを背面側から全体的に支持するため、取付具が大形化するという問題がある。
【０００６】
また、リモコン取付具５０の大形化に伴い、壁面５３へ取付具を固定する際には壁面５３への取付を確実にするため、ビス５４が複数個必要となり、空気調和機の移設時など取付具５０を壁面５３から取外す必要性が生じた時など、取付具５０を壁面５３から取外した後にはビス止めしていた穴が複数個、壁面５３に残ってしまい見た目の見苦しさや複数個の穴をパテ等で補修する手間がかかるといった問題があった。
【０００７】
また、同一壁面上に複数個の穴が確保できないと取付具５０を確実に固定できないという問題があった。
【０００８】
そこで、本発明の目的は、上述した従来の技術が有する課題を解消し、リモコン取付具とワイヤレスリモコンの着脱が容易で、より小形化したリモコン取付具とワイヤレスリモコンとから構成されたワイヤレスリモコン装置を提供することにある。
【０００９】
【課題を解決するための手段】
請求項１に記載の発明は、壁面や柱に固定されるリモコン取付具と、前記リモコン取付具に着脱自在に取り付けられ空気調和機などの電気機器を遠隔操作するワイヤレスリモコンとから構成されるワイヤレスリモコン装置において、
前記リモコン取付具には、前記ワイヤレスリモコンを着脱自在に支える支持腕を設けると共に、前記支持腕には前記ワイヤレスリモコン装着時の落下防止部を形成したことを特徴とする。
【００１０】
請求項２に記載の発明は、請求項１に記載の発明において、前記支持腕は、前記リモコン取付具の左右から前方に延設され、先端部内面側には、前記ワイヤレスリモコンを支持するための凸部、または凹部が配設され、前記ワイヤレスリモコンには、前記リモコン取付具にて支持可能なようにワイヤレスリモコン左右側面に凹部、または凸部が配設され、前記リモコン取付具と係止されることを特徴とする。
【００１１】
請求項３に記載の発明は、請求項２項に記載の発明において、前記支持腕に設けられた前記凸部、または前記凹部は少なくとも先端が略球面状であり、前記ワイヤレスリモコンには、前記リモコン取付具にて支持可能なようにワイヤレスリモコン左右側面に凹部、または凸部が配設され、前記凹部、または前記凸部は少なくとも先端が略球面状であり、前記リモコン取付具と枢止されることを特徴とする。
【００１２】
請求項４に記載の発明は、請求項１から３のいずれか１項に記載の発明において、前記取付具は、前記取付具の略中央部分に設けられたビス孔を介して１本のビスにて壁面や柱に固定できることを特徴とする。
【００１３】
請求項５に記載の発明は、請求項１から４のいずれか１項に記載の発明において、前記取付具は、前記取付具の中央部分と前記支持腕の正面から見た高さ寸法が略同一寸法であることを特徴とする。
【００１４】
【発明の実施の形態】
以下、本発明の一実施形態を添付図面に従って説明する。図１〜図２は本発明の実施形態の一形態であるワイヤレスリモコン装置のリモコン取付具を示すものである。図３は、本発明の実施形態の一形態であるワイヤレスリモコン装置のワイヤレスリモコンを示すものである。図４は、本発明の実施形態の一形態であるワイヤレスリモコン装置を示すものである。
【００１５】
図１〜図２において、リモコン取付具１は合成樹脂製で前記取付具１の左右には一対の支持腕２が備えられている。
【００１６】
前記取付具１は、正面から見て横長矩形状で、前記取付具１の中央部分と前記支持腕２の高さ寸法は略同一寸法であり、上面から見ると略コ字状に形成されており、空気調和機のワイヤレスリモコン１０（図３参照）の側面上部を支持するものである。また、その略中央部に形成したビス孔４を通る図示しない１本のビスにより壁面や柱に固定される。なお、前記ビス孔４は例えば皿穴である。
【００１７】
また、前記取付具１の両側端から前方へ左右一対の支持腕２が延設されており、前記支持腕２の略先端部内面側に一対の突起部３が配設されている。なお、前記突起部３は、例えば略球面状である。
【００１８】
次に図３について説明する。  図３に示すように、ワイヤレスリモコン１０の正面上部には現在の設定状況等が使用者に常時確認可能なようにワイヤレスリモコン液晶表示画面１１が設けられ、前記液晶表示画面１１の下部にはワイヤレスリモコン操作ボタン１２が配設され、使用者のボタン操作により運転、停止、設定変更等が容易にできる仕組みとなっており、使用者のボタン操作により運転、停止、設定変更等がなされた場合には、その結果が前記液晶表示画面１１に反映される。ワイヤレスリモコン１０上端部左右側面には、凹部１３が一対配設されている。なお、前記凹部１３は、例えば略球面状である。
【００１９】
次に図４について説明する。ワイヤレスリモコン装置２０において、前記ワイヤレスリモコン１０を前記取付具１に取り付ける場合には、図４に示すように、ワイヤレスリモコン１０左右側面上端部に配設された一対の凹部１３（図３参照）に、前記取付具１の両側端から前方へ左右一対の延設された前記支持腕２の略先端部内面側に配設された一対の突起部３（図１、図２参照）を差し込めばよい。
【００２０】
上記構成によれば、ワイヤレスリモコンを支持する部分が、ワイヤレスリモコン上端部左右側面のみとなるため、ワイヤレスリモコンの着脱は容易に行えるとともに、可能な限り取付具１の小形化を図ることができる。
【００２１】
また、上記構成によれば前記取付具１を壁面や柱に固定するビスは１本で済み、空気調和機の移設時など前記取付具１を壁面や柱から取外す必要性が生じた時など、前記取付具１を壁面や柱から取外した後、壁面や柱に残ってしまうビス止めしていた穴は１個のみで済ませることができ、見た目の見苦しさやパテ等による補修の労力を極力抑えることができる。
【００２２】
また、図４に示すように、上記構成によれば、ワイヤレスリモコンを支持する部分が、ワイヤレスリモコン上端部左右側面のみとなり、ワイヤレスリモコン１０の上端部左右側面に配設された一対の凹部１３、前記取付具１の両側端から前方へ左右一対の延設された支持腕２の略先端部内面側に配設された一対の突起部３は双方とも略球面状であるため、ワイヤレスリモコン１０を取付具１へ取り付けた状態でワイヤレスリモコン１０は、ワイヤレスリモコン１０の上端部左右側面を支点として回動自在となり、例えば凹凸のある壁面等へのワイヤレスリモコン取り付けの自由度を広げることができる。
【００２３】
以上、本発明を上記実施の形態に基づいて説明したが、本発明はこれに限定されるものではない。
【００２４】
例えば、上記実施の形態の説明では、リモコン取付具に一対の凸部を配設し、ワイヤレスリモコンに一対の凹部を配設して枢止させているが、その逆にリモコン用取付具に一対の凹部を配設し、ワイヤレスリモコンに一対の凸部を配設して枢止させてもよい。
【００２５】
また、ワイヤレスリモコンに凸部と凹部をそれぞれひとつずつ配設し、リモコン用取付具に凹部と凸部それぞれひとつずつ配設し、前記ワイヤレスリモコンと前記リモコン取付具を枢止させてもよい。
【００２６】
また、上記実施の形態の説明では、ワイヤレスリモコンに設けられた凹部は左右側面の略上端部に配設されていたが、左右側面の略中央部分であってもよい。
【００２７】
また、上記実施の形態の説明では、ワイヤレスリモコンの場合について説明したがワイヤードリモコンであってもよい。
【００２８】
また、上記実施の形態の説明では、空気調和機に使用されるワイヤレスリモコン装置の場合について説明したが、他の機器に使用されるリモコン装置であってもよい。
【００２９】
【発明の効果】
本発明によれば、ワイヤレスリモコン装置において、リモコン取付具とワイヤレスリモコンの着脱を容易にすることができ、またより小形化したリモコン取付具とワイヤレスリモコンとから構成されたワイヤレスリモコン装置を提供することができる。
【図面の簡単な説明】
【図１】本発明に係るワイヤレスリモコン装置のリモコン取付具の一実施形態を示す斜視図である。
【図２】本発明に係るワイヤレスリモコン装置のリモコン取付具の一実施形態を示す斜視図である。
【図３】本発明に係るワイヤレスリモコン装置のワイヤレスリモコンの一実施形態を示す斜視図である。
【図４】本発明に係るワイヤレスリモコン装置の一実施形態を示す斜視図である。
【図５】従来のワイヤレスリモコン装置のリモコン用取付具の斜視図である。
【図６】従来のワイヤレスリモコンの取り付け状態を示す側面図である。
【符号の説明】
１  リモコン用取付具
２  支持腕
３  突起部
４  ビス孔
１０  ワイヤレスリモコン
１１  液晶表示画面
１２  操作ボタン
１３  凹部
２０  ワイヤレスリモコン装置
【図１】
2004297258.tif 000003
【図２】
2004297258.tif 000004
【図３】
2004297258.tif 000005
【図４】
2004297258.tif 000006
【図５】
2004297258.tif 000007
【図６】
2004297258.tif 000008